(57)【要約】【課題】無線基地局部と複数の無線送受信機部との間にて、それぞれの伝搬遅延時間の差分による誤動作を防ぐ。【解決手段】遅延量測定データ送信部１１１から所定の固定データが送信されてから無線送受信機部１０２−１にて折り返されて無線基地局部１０１にて受信されるまでの伝搬遅延時間が遅延量測定カウンタ部１１２にて測定され、測定された伝搬遅延時間と光モジュール種別読み出し設定部１８０にて読み出された光モジュール部１３０の波長種別と光ファイバ１０３−１の種別とに基づいて下り回線の遅延量補正値がコントロール部１１６にて算出され、また伝搬遅延時間と光モジュール種別読み出し設定部１８０にて読み出された光モジュール部１４０の波長種別と光ファイバ１０３−１の種別とに基づいて上り回線の遅延量補正値がコントロール部１１６にて算出される【選択図】図３
2008072567.tif 000002
【特許請求の範囲】
【請求項１】
光信号を送受信するための無線基地局部用光モジュール部を有する無線基地局部と、光信号を送受信するための無線送受信機部用光モジュール部を有する無線送受信機部とに分離され、前記無線基地局部と複数の前記無線送受信機部とが光ファイバを介して接続された無線装置であって、
前記無線基地局部は、所定の固定データを前記無線送受信機部へ送信し、前記固定データが送信されてから前記無線送受信機部にて折り返されて前記無線基地局部にて受信されるまでの伝搬遅延時間を測定し、前記伝搬遅延時間と前記無線基地局部用光モジュール部の波長種別と前記光ファイバの種別とに基づいて、前記無線基地局部から前記無線送受信機部への方向である下り回線の遅延量補正値を算出し、前記伝搬遅延時間と前記無線送受信機部用光モジュール部の波長種別と前記光ファイバの種別とに基づいて、前記無線送受信機部から前記無線基地局部への方向である上り回線の遅延量補正値を算出する無線装置。
【請求項２】
請求項１に記載の無線装置において、
前記無線基地局部は、
前記下り回線へ送信されるデータを前記遅延量補正値の時間だけ一時的に保存する送信遅延量補正バッファ部と、
前記上り回線から受信されたデータを前記遅延量補正値の時間だけ一時的に保存する受信遅延量補正バッファ部とを有し、
前記算出された下り回線の遅延量補正値を前記送信遅延量補正バッファ部に設定し、前記算出された上り回線の遅延量補正値を前記受信遅延量補正バッファ部に設定することを特徴とする無線装置。
【請求項３】
請求項１または請求項２に記載の無線装置において、
前記無線基地局部用光モジュール部及び前記無線送受信機部用光モジュール部は、ＷＤＭ光モジュールであることを特徴とする無線装置。
【請求項４】
光信号を送受信するための無線基地局部用光モジュール部を有する無線基地局部と、光信号を送受信するための無線送受信機部用光モジュール部を有する無線送受信機部とに分離され、前記無線基地局部と複数の前記無線送受信機部とが光ファイバを介して接続された無線装置における遅延量補正方法であって、
前記無線基地局部が、所定の固定データを前記無線送受信機部へ送信する処理と、
前記無線送受信機部が、前記無線基地局部から送信された固定データを折り返して前記無線基地局部へ送信する処理と、
前記無線基地局部が、前記固定データが送信されてから前記無線送受信機部にて折り返されて前記無線基地局部にて受信されるまでの伝搬遅延時間を測定する処理と、
前記無線基地局部が、前記伝搬遅延時間と前記無線基地局部用光モジュール部の波長種別と前記光ファイバの種別とに基づいて、前記無線基地局部から前記無線送受信機部への方向である下り回線の遅延量補正値を算出する処理と、
前記無線基地局部が、前記伝搬遅延時間と前記無線送受信機部用光モジュール部の波長種別と前記光ファイバの種別とに基づいて、前記無線送受信機部から前記無線基地局部への方向である上り回線の遅延量補正値を算出する処理とを有する遅延量補正方法。
【請求項５】
請求項４に記載の遅延量補正方法において、
前記無線基地局部が、前記無線基地局部に設けられた、前記下り回線へ送信されるデータが前記遅延量補正値の時間だけ一時的に保存される送信遅延量補正バッファ部に、前記算出された下り回線の遅延量補正値を設定する処理と、
前記無線基地局部が、前記無線基地局部に設けられた、前記上り回線へ送信されるデータが前記遅延量補正値の時間だけ一時的に保存される受信遅延量補正バッファ部に、前記算出された上り回線の遅延量補正値を設定する処理とを有することを特徴とする遅延量補正方法。
【発明の詳細な説明】
【技術分野】
【０００１】
本発明は、無線通信を行う無線装置に関し、特に、無線装置の構成が、無線基地局部と、無線基地局部から離れた場所に設置される無線送受信機部とに分離されており、無線基地局部と無線送受信機部とが光ファイバによって接続された無線装置及び無線装置における遅延量補正方法に関する。
【背景技術】
【０００２】
近年、無線技術を用いて通信を行う無線通信システムが、通信を行うためのシステムとして重要な通信システムの１つとなってきている。この無線通信システムでは、無線装置である無線基地局からの電波が届く範囲がサービスエリアとなるため、無線基地局から離れているために電波の届きにくい場所については、サービスエリアから外れてしまう虞がある。そのため、無線基地局の装置構成を無線基地局部と無線送受信機部とに分離し、無線基地局部から離れた場所に無線送受信機部を設置し、これら無線基地局部と無線送受信機部とを光ファイバにより接続することにより、無線基地局から離れた場所についてもサービスエリアの範囲内とすることができる装置構成が考えられている。
【０００３】
また、１つの無線基地局部に対して、無線基地局部から離れた場所に複数の無線送受信機部を設置することにより、収容セル数の増加が容易に行われ、さらに、無線送受信機部の置き換えだけで、収容セルの構成を容易に変更することができる。
【０００４】
しかし、このように光ファイバによって接続された無線基地局部と無線送受信機部との間における通信においては、各無線送受信機部が設置される場所によって、無線基地局部からの距離の違いから、光ファイバの信号伝搬遅延時間の差分が生じてしまう。無線基地局部と各無線送受信機部との間に接続された光ファイバの長さが等しい場合は問題が発生することはないが、光ファイバの長さが異なる場合は、無線基地局部から複数の無線送受信機部に対して同じタイミングで下りデータが送信されても、複数の無線送受信機部においては下りデータが時間的なばらつきを保持したまま無線区間へ送信されてしまう。例えば、ダイバーシティ送信や、ＩＰＤＬ（Idle Periods create in the Down Link）サービス等については、そのばらつきを補正する処理が必要となる。
【０００５】
そこで、無線基地局部から無線送受信機部へ下りデータを送信する際に、遅延量を測定するための固定データを下りデータの中に挿入し、無線送受信機部にて折り返して無線基地局部へ送信し、無線基地局部にて受信された折り返し固定データの受信時刻と、当該固定データが無線送受信機部へ送信された送信時刻とに基づいて、遅延量補正値が算出され、算出された遅延量補正値に応じた時間を遅延させてデータの送受信を行う技術が考えられている。
【０００６】
図７は、従来の無線基地局部と無線送受信機部との間における遅延量測定方法の一例を示すシーケンス図である。
【０００７】
無線基地局部と無線送受信機部とにおいて、装置電源が投入されると（ステップＳ７０１）、無線基地局部と無線送受信機部との間にて光ファイバによる接続がされているかどうかが確認される（ステップＳ７０２）。
【０００８】
無線基地局部と無線送受信機部との間にて光ファイバによる接続がされていることが確認されると、無線基地局部から無線送受信機部へ遅延量測定用固定データが送信される（ステップＳ７０３）。これは、無線基地局部から無線送受信機部へ送信される下りデータに、遅延量測定用固定データが多重された状態で送信される。このとき、遅延量を測定するための遅延量測定カウンタが起動する。
【０００９】
無線基地局部から無線送受信機部へ遅延量測定用固定データが送信されると、無線送受信機部にて受信された遅延量測定用固定データは、無線送受信機部にて折り返されて無線送受信機部から無線基地局部へ送信される（ステップＳ７０４）。
【００１０】
無線送受信機部にて折り返され、無線基地局部へ送信された遅延量測定用固定データが無線基地局部にて受信されると（ステップＳ７０５）、遅延量測定カウンタのカウンタ値が伝搬遅延時間として読み出される（ステップＳ７０６）。
【００１１】
そして、無線基地局部から最も遠い場所に配置された無線送受信機部の遅延量である最大遅延量から、読み出された伝搬遅延時間を２で割った遅延量を引いた値を遅延量補正値として算出され（ステップＳ７０７）、算出された遅延量補正値が送信と受信とにそれぞれ設けられたバッファである遅延量補正バッファにそれぞれ設定される（ステップＳ７０８）。
【００１２】
その後、無線基地局部から最も遠い場所に設置された無線送受信機部の最大遅延量に同期させるように、遅延量補正バッファに設定された補正値分のデータを遅延させた通常動作に入る（ステップＳ７０９）。
【００１３】
また、無線基地局部にて受信された折り返し固定データの受信時刻と、当該固定データが無線送受信機部へ送信された送信時刻と、光モジュールの種別（波長）とに基づいて遅延量補正値を算出し、算出された遅延量補正値に応じた時間を遅延させてデータの送受信を行う技術が考えられている（例えば、特許文献１参照。）。
【特許文献１】特開２００５−２４４５９７号公報
【発明の開示】
【発明が解決しようとする課題】
【００１４】
しかしながら、遅延量補正値を算出するときに、送信時刻と受信時刻とから算出された時間を単純に半分にした値を遅延量補正値として使用しているため、例えば、５０ｋｍ以上の特に長距離においては、より正確な遅延量補正値を設定することができないという問題点がある。
【００１５】
また、特許文献１に記載された技術においては、無線基地局部と無線送受信機部とを接続する光ファイバ種別が、上り回線と下り回線とで異なるものが用いられた場合、正確な遅延量が測定できないという問題点がある。実際、ＳＭＦ（シングルモードファイバ）によって接続された場合と、ＤＳＦ（分散シフトファイバ）によって接続された場合とでは、光モジュールの波長にもよるが、下りと上りとの遅延時間の長さが逆転し、下りと上りとの遅延量が異なるため、測定カウンタ値を単純に半分にした値の設定では、下りと上りとのそれぞれの伝搬遅延時間の誤差が大きくなってしまい、通信の不具合などシステムに影響を与える虞があるという問題点がある。
【００１６】
本発明は、上述したような従来の技術が有する問題点に鑑みてなされたものであって、無線基地局部と複数の無線送受信機部との間にて、それぞれの伝搬遅延時間の差分による誤動作を防ぐことができる無線装置及び無線装置における遅延量補正方法を提供することを目的とする。
【課題を解決するための手段】
【００１７】
上記目的を達成するための本発明は、
光信号を送受信するための無線基地局部用光モジュール部を有する無線基地局部と、光信号を送受信するための無線送受信機部用光モジュール部を有する無線送受信機部とに分離され、前記無線基地局部と複数の前記無線送受信機部とが光ファイバを介して接続された無線装置であって、
前記無線基地局部は、所定の固定データを前記無線送受信機部へ送信し、前記固定データが送信されてから前記無線送受信機部にて折り返されて前記無線基地局部にて受信されるまでの伝搬遅延時間を測定し、前記伝搬遅延時間と前記無線基地局部用光モジュール部の波長種別と前記光ファイバの種別とに基づいて、前記無線基地局部から前記無線送受信機部への方向である下り回線の遅延量補正値を算出し、前記伝搬遅延時間と前記無線送受信機部用光モジュール部の波長種別と前記光ファイバの種別とに基づいて、前記無線送受信機部から前記無線基地局部への方向である上り回線の遅延量補正値を算出する。
【００１８】
また、前記無線基地局部は、
前記下り回線へ送信されるデータを前記遅延量補正値の時間だけ一時的に保存する送信遅延量補正バッファ部と、
前記上り回線から受信されたデータを前記遅延量補正値の時間だけ一時的に保存する受信遅延量補正バッファ部とを有し、
前記算出された下り回線の遅延量補正値を前記送信遅延量補正バッファ部に設定し、前記算出された上り回線の遅延量補正値を前記受信遅延量補正バッファ部に設定することを特徴とする。
【００１９】
また、前記無線基地局部用光モジュール部及び前記無線送受信機部用光モジュール部は、ＷＤＭ光モジュールであることを特徴とする。
【００２０】
また、光信号を送受信するための無線基地局部用光モジュール部を有する無線基地局部と、光信号を送受信するための無線送受信機部用光モジュール部を有する無線送受信機部とに分離され、前記無線基地局部と複数の前記無線送受信機部とが光ファイバを介して接続された無線装置における遅延量補正方法であって、
前記無線基地局部が、所定の固定データを前記無線送受信機部へ送信する処理と、
前記無線送受信機部が、前記無線基地局部から送信された固定データを折り返して前記無線基地局部へ送信する処理と、
前記無線基地局部が、前記固定データが送信されてから前記無線送受信機部にて折り返されて前記無線基地局部にて受信されるまでの伝搬遅延時間を測定する処理と、
前記無線基地局部が、前記伝搬遅延時間と前記無線基地局部用光モジュール部の波長種別と前記光ファイバの種別とに基づいて、前記無線基地局部から前記無線送受信機部への方向である下り回線の遅延量補正値を算出する処理と、
前記無線基地局部が、前記伝搬遅延時間と前記無線送受信機部用光モジュール部の波長種別と前記光ファイバの種別とに基づいて、前記無線送受信機部から前記無線基地局部への方向である上り回線の遅延量補正値を算出する処理とを有する。
【００２１】
また、前記無線基地局部が、前記無線基地局部に設けられた、前記下り回線へ送信されるデータが前記遅延量補正値の時間だけ一時的に保存される送信遅延量補正バッファ部に、前記算出された下り回線の遅延量補正値を設定する処理と、
前記無線基地局部が、前記無線基地局部に設けられた、前記上り回線へ送信されるデータが前記遅延量補正値の時間だけ一時的に保存される受信遅延量補正バッファ部に、前記算出された上り回線の遅延量補正値を設定する処理とを有することを特徴とする。
【００２２】
上記のように構成された本発明においては、無線基地局部と無線送受信機部とが光ファイバを介して接続された無線装置にて、無線基地局部から所定の固定データが送信されてから無線送受信機部にて折り返されて無線基地局部にて受信されるまでの伝搬遅延時間が無線基地局部にて測定され、測定された伝搬遅延時間と無線基地局部に設けられた無線基地局部用光モジュール部の波長種別と光ファイバの種別とに基づいて下り回線の遅延量補正値が無線基地局部にて算出され、また伝搬遅延時間と無線送受信機部に設けられた無線送受信機部用光モジュール部の波長種別と光ファイバの種別とに基づいて上り回線の遅延量補正値が無線基地局部にて算出される。
【００２３】
これにより、光モジュールの波長種別や光ファイバの種別に応じた遅延量補正を行うため、データのより正確な遅延量を考慮した送信タイミングを図ることができる。
【発明の効果】
【００２４】
以上説明したように本発明においては、光ファイバを介して無線送受信機部に接続された無線基地局部が、無線基地局部から所定の固定データが送信されてから無線送受信機部にて折り返されて無線基地局部にて受信されるまでの伝搬遅延時間を測定し、測定された伝搬遅延時間と無線基地局部に設けられた無線基地局部用光モジュール部の波長種別と光ファイバの種別とに基づいて下り回線の遅延量補正値を算出し、また伝搬遅延時間と無線送受信機部に設けられた無線送受信機部用光モジュール部の波長種別と光ファイバの種別とに基づいて上り回線の遅延量補正値を算出する構成としたため、無線基地局部と複数の無線送受信機部との間にて、それぞれの伝搬遅延時間の差分による誤動作を防ぐことができる。
【発明を実施するための最良の形態】
【００２５】
以下に、本発明の実施の形態について図面を参照して説明する。
【００２６】
図１は、本発明の無線装置の実施の一形態を示す図である。
【００２７】
本形態は図１に示すように、無線基地局部１０１と、無線基地局部１０１から離れた場所に設置された複数の無線送受信機部１０２−１〜１０２−ｎとから構成されており、無線基地局部１０１と各無線送受信機部１０２−１〜１０２−ｎとは、光ファイバ１０３−１〜１０３−ｎによってそれぞれ接続されている。さらに、無線基地局部１０１は、上位装置（不図示）と接続されている。また、無線送受信機部１０２−１〜１０２−ｎは、携帯端末（不図示）と無線にて接続され、携帯端末との間にてデータの送受信を行う。なお、無線基地局部１０１と各無線送受信機部１０２−１〜１０２−ｎとの間の距離は任意とする。
【００２８】
図２は、図１に示した無線基地局部１０１及び無線送受信機部１０２−１〜１０２−ｎの構成の一例を示す図である。
【００２９】
図１に示した無線基地局部１０１には図２に示すように、ベースバンド信号処理部１１０と、直並列器１２０と、光モジュール部１３０とが設けられている。
【００３０】
ベースバンド信号処理部１１０は、無線送受信機部１０２−１〜１０２−ｎとの間にて送受信されるデータの多重分離を行う。直並列器１２０は、ベースバンド信号処理部１１０から出力されたパラレルデータをシリアルデータに変換して光モジュール部１３０へ出力し、また光モジュール部１３０から出力されたシリアルデータをパラレルデータに変換してベースバンド信号処理部１１０へ出力する。光モジュール部１３０は、直並列器１２０から出力されたシリアルデータを電気信号から光信号へ変換し、また光ファイバ１０３−１〜１０３−ｎを介して受信された光信号を電気信号へ変換する無線基地局部用光モジュールである。なお、光モジュール部１３０は、光ファイバ１０３−１〜１０３−ｎにて１芯双方向の送受信を行う波長分割多重方式（ＷＤＭ：Wavelength Division Multiplexing）を採用しているものである。
【００３１】
さらにベースバンド信号処理部１１０には、遅延量測定データ送信部１１１と、遅延量測定カウンタ部１１２と、遅延量補正バッファ部１１３とが設けられている。遅延量測定データ送信部１１１は、遅延量を測定するための固定データを、無線送受信機部１０２−１〜１０２−ｎへ送信する下りデータに所定の周期で多重させて送信する。遅延量測定カウンタ部１１２は、遅延量測定データ送信部１１１から遅延量を測定するための固定データが送信されてから、当該固定データが無線送受信機部１０２−１〜１０２−ｎにて折り返されて受信されるまでの伝搬遅延時間を測定する。遅延量補正バッファ部１１３は、遅延量測定カウンタ部１１２にてカウントされた伝搬遅延時間に基づいて算出された遅延量補正値の時間だけデータを遅延させるためにデータのバッファリングを行う。
【００３２】
また、光モジュール部１３０には、Ｅ／Ｏ部１３１と、ＷＤＭフィルタ部１３２と、Ｏ／Ｅ部１３３とが設けられている。Ｅ／Ｏ部１３１は、直並列器１２０から出力されたシリアルデータを電気信号から光信号へ変換する。ＷＤＭフィルタ部１３２は、光ファイバ１０３−１〜１０３−ｎ内のデータから上りデータを抽出する。Ｏ／Ｅ部１３３は、ＷＤＭフィルタ部１３２にて抽出された上りデータを、光信号から電気信号へ変換する。
【００３３】
また、図１に示した無線送受信機部１０２−１には図２に示すように、光モジュール部１４０と、直並列器１５０と、信号処理部１６０と、無線部１７０とが設けられている。
【００３４】
光モジュール部１４０は、直並列器１５０から出力されたシリアルデータを電気信号から光信号へ変換し、また光ファイバ１０３−１を介して受信された光信号を電気信号へ変換する無線送受信機部用光モジュールである。なお、光モジュール部１４０は、光モジュール部１３０と同様に、光ファイバ１０３−１にて１芯双方向の送受信を行う波長分割多重方式を採用しているものである。直並列器１５０は、光モジュール部１４０から出力されたシリアルデータをパラレルデータに変換して信号処理部１６０へ出力し、また信号処理部１６０から出力されたパラレルデータをシリアルデータに変換して光モジュール部１４０へ出力する。信号処理部１６０は、送受信されるデータの多重分離等を行う。無線部１７０は、送受信されるデータに対して、アナログ／デジタル変換、増幅を行い、携帯端末との間にてデータの送受信を行う。
【００３５】
さらに光モジュール部１４０には、ＷＤＭフィルタ部１４１と、Ｏ／Ｅ部１４２と、Ｅ／Ｏ部１４３とが設けられている。ＷＤＭフィルタ部１４１は、光ファイバ１０３−１内のデータから下りデータを抽出する。Ｏ／Ｅ部１４２は、ＷＤＭフィルタ部１４１にて抽出された下りデータを、光信号から電気信号へ変換する。Ｅ／Ｏ部１４３は、直並列器１５０から出力されたシリアルデータを電気信号から光信号へ変換する。
【００３６】
なお、無線送受信機部１０２−２〜１０２−ｎの構成についても、無線送受信機部１０２−１の構成と同様の構成である。また、図２に示した構成は、本発明に関わる構成要素のみを示したものである。
【００３７】
さらに本発明の特徴を、以下に詳細に説明する。
【００３８】
図３は、図２に示した無線基地局部１０１及び無線送受信機部１０２−１〜１０２−ｎの構成をさらに詳細に示す図である。
【００３９】
図２に示した無線基地局部１０１にはさらに図３に示すように、光モジュール種別読み出し設定部１８０と、ファイバ種別設定部１９０とが設けられている。
【００４０】
光モジュール種別読み出し設定部１８０は、光モジュール部１３０，１４０の波長種別を読み出し、読み出された光モジュール部１３０，１４０の波長種別を示す情報をコントロール部１１６へ出力する。ここで、光モジュール１３０の波長種別をλ１とし、また光モジュール１４０の波長種別をλ２とする。なお、光モジュール１４０の波長種別を示す情報は、上りデータに多重されて無線送受信機部１０２−１から送信され、無線基地局部１０１にて受信された上りデータから光モジュール種別読み出し設定部１８０によって抽出される。ファイバ種別設定部１９０は、光ファイバ１０３−１のファイバ種別を示す情報をコントロール部１１６に出力する。ここで、光ファイバ１０３−１として、ＳＭＦ（Single Mode Fiber：シングルモードファイバ）またはＤＳＦ（Dispersion Shifted Fiber：分散シフトファイバ）が用いられるとすると、光ファイバ１０３−１がＳＭＦであるかＤＳＦであるかを示す情報がコントロール部１１６に出力されることとなる。
【００４１】
また、図２に示したベースバンド信号処理部１１０にはさらに図３に示すように、コントロール部１１６が設けられている。コントロール部１１６は、遅延量測定カウンタ部１１２にて測定された伝搬遅延時間と、光モジュール種別読み出し設定部１８０から出力された波長種別を示す情報と、ファイバ種別設定部１９０から出力されたファイバ種別を示す情報とに基づいて、上りと下りとにおける遅延量補正値をそれぞれ算出する。
【００４２】
また、図２に示した遅延量補正バッファ部１１３は図３に示すように、送信遅延量補正バッファ部１１４と、受信遅延量補正バッファ部１１５とから構成されている。
【００４３】
送信遅延量補正バッファ部１１４は、コントロール部１１６にて算出された下りの遅延量補正値分、送信データを遅延させるために当該送信データのバッファリングを行う。受信遅延量補正バッファ部１１５は、コントロール部１１６にて算出された上りの遅延量補正値分、受信データを遅延させるために当該受信データのバッファリングを行う。
【００４４】
ここで、コントロール部１１６にて算出される上りと下りとの各遅延量補正値は、例えば光ファイバ１０３−１のファイバ種別がＳＭＦである場合とＤＳＦである場合とでは、光ファイバ１０３−１内の伝送速度が異なり、それにより伝搬遅延時間が異なるため、遅延量測定カウンタ部１１２にて測定された伝搬遅延時間に、ＳＭＦまたはＤＳＦに応じた補正倍率を乗ずる必要がある。また、光ファイバ１０３−２〜１０３−ｎに応じた同様の計算も行われる。
【００４５】
図４は、図３に示したコントロール部１１６に予め設定された補正倍率の一例を示す図である。図４に示した補正倍率に関する対応付けは、コントロール部１１６がアクセス可能なメモリ等の記憶手段に予め記憶されているものであっても良い。
【００４６】
図４に示すように、光ファイバ種別が、ＳＭＦである場合と、ＤＳＦである場合とにおいて、使用される光モジュール部１３０の波長をλ１（例えば、１．４９μｍ）とし、また光モジュール部１４０の波長をλ２（例えば、１．３１μｍ）とすると、それぞれに関係した群屈折率は互いに異なった値となり、それぞれｎ１，ｎ２，ｎ３，ｎ４となる。
【００４７】
また、上記の各群屈折率ｎ１〜ｎ４に応じた光ファイバ１０３−１内のそれぞれの伝送速度Ｖ１〜Ｖ４は、真空中の光速度ｃ［ｍ／ｓ］が群屈折率によって除算された値となり、それぞれＶ１＝ｃ／ｎ１，Ｖ２＝ｃ／ｎ２，Ｖ３＝ｃ／ｎ３，Ｖ４＝ｃ／ｎ４となる。
【００４８】
さらに、遅延量測定カウンタ部１１２にて測定された伝搬遅延時間Ｔａ（光ファイバ種別がＳＭＦの場合），Ｔｂ（光ファイバ種別がＤＳＦの場合）にかかるそれぞれの補正倍率Ｍ１〜Ｍ４は、Ｍ１＝１／（Ｖ１／Ｖ２＋１），Ｍ２＝１／（Ｖ２／Ｖ１＋１），Ｍ３＝１／（Ｖ３／Ｖ４＋１），Ｍ４＝１／（Ｖ４／Ｖ３＋１）となる。
【００４９】
そして、補正値は、無線送受信機部１０２−１〜１０２−ｎの中で無線基地局部１０１から最も遠い場所に設置された無線送受信機部における最大遅延量から、遅延量測定カウンタ部１１２にて測定された伝搬遅延時間に上記の補正倍率を乗じたものを差し引いた値となる。例えば、光ファイバ種別がＳＭＦである場合、下りデータの補正値は、（最大遅延量−（Ｔａ×Ｍ１）となり、また上りデータの補正値は、（最大遅延量−（Ｔａ×Ｍ２）となる。また、光ファイバ種別がＤＳＦである場合、下りデータの補正値は、（最大遅延量−（Ｔｂ×Ｍ３）となり、また上りデータの補正値は、（最大遅延量−（Ｔｂ×Ｍ４）となる。
【００５０】
これらの値は、図４に示すようにそれぞれ対応付けられる。
【００５１】
以下に、図２〜図３に示した無線基地局部１０１と無線送受信機部１０２−１との間における遅延量補正方法について説明する。
【００５２】
図５は、図２〜図３に示した無線基地局部１０１と無線送受信機部１０２−１との間における遅延量補正方法を説明するためのシーケンス図である。
【００５３】
無線基地局部１０１と無線送受信機部１０２−１とにおいて、装置電源が投入されると（ステップＳ１）、無線基地局部１０１と無線送受信機部１０２−１との間にて光ファイバ１０３−１による接続がされているかどうかが確認される（ステップＳ２）。
【００５４】
無線基地局部１０１と無線送受信機部１０２−１との間にて光ファイバによる接続がされていることが確認されると、無線基地局部１０１のファイバ種別設定部１９０によって光ファイバ１０３−１のファイバ種別がコントロール部１１６に設定される（ステップＳ３）。
【００５５】
その後、光モジュール種別読み出し設定部１８０によって、光モジュール部１３０の波長種別と光モジュール部１４０の波長種別とが読み出され、読み出された波長種別がコントロール部１１６に設定される（ステップＳ４）。
【００５６】
そして、遅延量を測定するための遅延量測定用固定データが、無線基地局部１０１から無線送受信機部１０２−１へ送信される（ステップＳ５）。これは、無線基地局部１０１から無線送受信機部１０２−１へ送信される下りデータに遅延量測定用固定データが多重された状態で送信される。このとき、遅延量を測定するための遅延量測定カウンタ部１１２が起動する。
【００５７】
無線基地局部１０１から無線送受信機部１０２−１へ遅延量測定用固定データが送信されると、無線送受信機部１０２−１にて受信された遅延量測定用固定データは、無線送受信機部１０２−１にて折り返されて無線送受信機部１０２−１から無線基地局部１０１へ送信される（ステップＳ６）。
【００５８】
無線送受信機部１０２−１にて折り返され、無線基地局部１０１へ送信された遅延量測定用固定データが無線基地局部１０１にて受信されると（ステップＳ７）、遅延量測定カウンタ部１１２のカウンタ値、つまり無線基地局部１０１と無線送受信機部１０２−１との間にてデータが往復する時間が伝搬遅延時間として読み出される（ステップＳ８）。
【００５９】
遅延量測定カウンタ部１１２から読み出された伝搬遅延時間と、ステップＳ３にて設定されたファイバ種別と、ステップＳ４にて設定された波長種別とに基づいて、コントロール部１１６にて遅延量補正値が算出される（ステップＳ９）。算出方法については、図４を用いて行った説明の通りである。
【００６０】
そして、コントロール部１１６にて算出された遅延量補正値のうち、下りの遅延量補正値が送信遅延量補正バッファ部１１４に設定され、またコントロール部１１６にて算出された遅延量補正値のうち、上りの遅延量補正値が受信遅延量補正バッファ部１１５に設定される（ステップＳ１０）。
【００６１】
その後、通常動作に入り（ステップＳ１１）、下りデータは送信遅延量補正バッファ１１４にて設定された遅延量だけバッファリングされた後、無線送受信機部１０２−１へ送信され、また上りデータは受信遅延量補正バッファ１１５にて設定された遅延量だけバッファリングされた後、多重処理が行われて上位装置へ送信される。
【００６２】
また、波長種別、またはファイバ種別が上記以外の場合であっても、同様の処理が考えられる。
【００６３】
図６は、図３に示したコントロール部１１６に予め設定された補正倍率の他の例を示す図である。
【００６４】
図６に示すように、無線基地局部１０１に実装された光モジュール部１３０及び無線送受信機部１０２−１〜１０２−ｎに実装された光モジュール部１４０において、波長の異なるタイプが数種あり、対向のセット(例えば、λ２とλ３)が実装された場合には、コントロール部１１６にて必要なセットが予め設定されている中から、対向に適用された補正倍率Ｍが選択され、選択された補正倍率Ｍに基づいて遅延量補正値が算出され、下りと上りとの遅延量補正バッファ部１１３に設定させるものであっても良い。また、ファイバ種別においても同様に、例えば、ＮＺ−ＤＳＦ（NonZero-Dispersion Shifted Fiber）が用いられた場合、その特性に応じた補正倍率Ｍをかけるものであっても良い。
【００６５】
なお、上述した例においては、無線基地局部１０１と無線送受信機部１０２−１との間における遅延量補正方法について説明したが、無線基地局部１０１と無線送受信機部１０２−２〜１０２−ｎとの間においても同様の処理が行われることは言うまでもない。
【００６６】
以上説明したように本発明においては、光モジュールの波長種別や光ファイバの種別に応じた遅延量補正を行うため、データのより正確な遅延量を考慮した送信タイミングを図ることができる。
【図面の簡単な説明】
【００６７】
【図１】本発明の無線装置の実施の一形態を示す図である。
【図２】図１に示した無線基地局部及び無線送受信機部の構成の一例を示す図である。
【図３】図２に示した無線基地局部及び無線送受信機部の構成をさらに詳細に示す図である。
【図４】図３に示したコントロール部に予め設定された補正倍率の一例を示す図である。
【図５】図２〜図３に示した無線基地局部と無線送受信機部との間における遅延量補正方法を説明するためのシーケンス図である。
【図６】図３に示したコントロール部に予め設定された補正倍率の他の例を示す図である。
【図７】従来の無線基地局部と無線送受信機部との間における遅延量測定方法の一例を示すシーケンス図である。
【符号の説明】
【００６８】
１０１    無線基地局部
１０２−１〜１０２−ｎ    無線送受信機部
１０３−１〜１０３−ｎ    光ファイバ
１１０    ベースバンド信号処理部
１１１    遅延量測定データ送信部
１１２    遅延量測定カウンタ部
１１３    遅延量補正バッファ部
１１４    送信遅延量補正バッファ部
１１５    受信遅延量補正バッファ部
１１６    コントロール部
１２０，１５０    直並列器
１３０，１４０    光モジュール部
１３１，１４３    Ｅ／Ｏ部
１３２，１４１    ＷＤＭフィルタ部
１３３，１４２    Ｏ／Ｅ部
１６０    信号処理部
１７０    無線部
１８０    光モジュール種別読み出し設定部
１９０    ファイバ種別設定部
【図１】
2008072567.tif 000003
【図２】
2008072567.tif 000004
【図３】
2008072567.tif 000005
【図４】
2008072567.tif 000006
【図５】
2008072567.tif 000007
【図６】
2008072567.tif 000008
【図７】
2008072567.tif 000009